(57)【要約】      （修正有）【課題】エレベータの電気機器に接続された電線の余長を無くし、据付作業性を向上させることができるエレベータ昇降路用配線装置を得る。【解決手段】エレベータ昇降路内に立設された一対のかご用ガイドレール３ａ，３ｂと、昇降路内に立設された一対の釣合い重り用ガイドレール４ａ，ａｂと、かご用ガイドレール及び釣合い重り用ガイドレールに設けられたレール側固定金８，１０，１２ａ，１２ｂと、レール側固定金に設けられ、かご用ガイドレール及び釣合い重り用ガイドレールよりも外側となる昇降路の両側及び奥側にそれぞれ配置されたレール側配線受け金具７，９，１１とを備えることにより、レール側配線受け金具によって、エレベータ用電気機器に接続された電線の配線経路を、昇降路の形状に関らず一定に構成する。【選択図】図１
2007119119.tif 000002
【特許請求の範囲】
【請求項１】
エレベータ昇降路内の固定部に設けられた固定体と、
前記固定金に設けられ、前記昇降路内の両側及び奥側の所定位置に配置されることにより、エレベータ用電気機器に接続された電線の配線経路を、前記昇降路の形状に関らず一定に構成可能な配線受け具と、
を備えたことを特徴とするエレベータ昇降路用配線装置。
【請求項２】
エレベータ昇降路内に立設された一対のかご用ガイドレールと、
前記昇降路内に立設された一対の釣合い重り用ガイドレールと、
前記かご用ガイドレール及び前記釣合い重り用ガイドレールに設けられたレール側固定金と、
前記レール側固定金に設けられ、前記かご用ガイドレール及び前記釣合い重り用ガイドレールよりも外側となる前記昇降路の両側及び奥側にそれぞれ配置されることにより、エレベータ用電気機器に接続された電線の配線経路を一定に構成可能なレール側配線受け金具と、
を備えたことを特徴とするエレベータ昇降路用配線装置。
【請求項３】
かご用ガイドレールが昇降路の両側に、また、釣合い重り用ガイドレールが前記昇降路の奥側にそれぞれ配置され、
レール側配線受け金具は、
一方の前記かご用ガイドレールに取り付けられたレール側固定金に設けられ、前記昇降路の一側に配置されて、前記昇降路の奥行方向に長手方向を有する第１のレール側配線受け金具と、
他方の前記かご用ガイドレールに取り付けられたレール側固定金に設けられ、前記昇降路の他側に配置されて、前記昇降路の奥行方向に長手方向を有する第２のレール側配線受け金具と、
前記釣合い重り用ガイドレールに取り付けられたレール側固定金に設けられ、前記昇降路の奥側に配置されて、前記昇降路の間口方向に長手方向を有する第３のレール側配線受け金具と、
を備えたことを特徴とする請求項２に記載のエレベータ昇降路用配線装置。
【請求項４】
エレベータ用電気機器は、かご用ガイドレール又は釣合い重り用ガイドレールに設けられたことを特徴とする請求項２及び請求項３に記載のエレベータ昇降路用配線装置。
【請求項５】
エレベータ昇降路の昇降路壁に突設され、前記昇降路内側への突出量が調整自在な壁側固定金と、
前記壁側固定金に設けられ、前記昇降路の両側及び奥側にそれぞれ配置されることにより、エレベータ用電気機器に接続された電線の配線経路を一定に構成可能な壁側配線受け金具と、
を備えたことを特徴とするエレベータ昇降路用配線装置。
【請求項６】
エレベータの乗場の敷居から下方に垂設された爪先保護板と、
前記爪先保護板の裏面に設けられ、昇降路の間口方向に配置されることにより、エレベータ用電気機器に接続された電線の配線経路を一定に構成可能な乗場側配線受け金具と、
を備えたことを特徴とする請求項２から請求項５の何れかに記載のエレベータ昇降路用配線装置。
【発明の詳細な説明】
【技術分野】
【０００１】
この発明は、エレベータの昇降路内で、各種電気機器類に接続された電線の配線経路を構成する昇降路用配線装置に関するものである。
【背景技術】
【０００２】
従来、エレベータ昇降路内でエレベータの各種電気機器類に接続された電線を布設するには、略Ｚ字状の配線金具を昇降路壁にアンカーボルトを介して取り付け、この配線金具と昇降路壁とで形成される凹状の空間に電線を配置していた（例えば、特許文献１参照）。
【０００３】
【特許文献１】特開２００３−３４１９５６号公報
【発明の開示】
【発明が解決しようとする課題】
【０００４】
エレベータ昇降路は建物毎にその大きさや断面形状が異なるため、特許文献１記載のエレベータ昇降路用配線金具を使用してエレベータの各種電気機器類の電線を布設する場合、様々な昇降路に対応すべく、予め所定の余長を含む長さの電線を手配する必要があった。また、エレベータ装置の設置場所毎に異なる上記電線の余長が発生し、作業者は、余長の整理及び結束に時間と手間とを要して、据付作業性が著しく悪化するといった問題が生じていた。
【０００５】
この発明は、上述のような課題を解決するためになされたもので、その目的は、エレベータの電気機器に接続された電線の余長を無くし、据付作業性を向上させることができるエレベータ昇降路用配線装置を提供することである。
【課題を解決するための手段】
【０００６】
この発明に係るエレベータ昇降路用配線装置は、エレベータ昇降路内の固定部に設けられた固定体と、固定金に設けられ、昇降路内の両側及び奥側の所定位置に配置されることにより、エレベータ用電気機器に接続された電線の配線経路を、昇降路の形状に関らず一定に構成可能な配線受け具とを備えたものである。
【発明の効果】
【０００７】
この発明は、エレベータ昇降路内の固定部に設けられた固定体と、固定金に設けられ、昇降路内の両側及び奥側の所定位置に配置されることにより、エレベータ用電気機器に接続された電線の配線経路を、昇降路の形状に関らず一定に構成可能な配線受け具とを備える構成としたことで、エレベータの電気機器に接続された電線の余長を無くし、据付作業性を向上させることができる。
【発明を実施するための最良の形態】
【０００８】
この発明をより詳細に説明するため、添付の図面に従ってこれを説明する。なお、各図中、同一又は相当する部分には同一の符号を付しており、その重複説明は適宜に簡略化ないし省略する。
【０００９】
実施の形態１．
図１はこの発明の実施の形態１におけるエレベータ装置の斜視図である。図１において、１はエレベータの昇降路ピット部、２はエレベータの乗場側の昇降路壁１ａに設けられたエレベータの乗場装置、３ａ及び３ｂは所定の間隔を有して互いに対向するように昇降路内に立設された一対のかご用ガイドレールであり、このかご用ガイドレール３ａ及び３ｂは、乗場装置２を間に挟んで互いに対向する各昇降路壁１ｂ及び１ｃとそれぞれ所定の間隔を有するように、昇降路の両側に配置されている。また、４ａ及び４ｂは所定の間隔を有して互いに対向するように昇降路内に立設された一対の釣合い重り用ガイドレールであり、この釣合い重り用ガイドレール４ａ及び４ｂは、昇降路の奥側で、且つ、一側の昇降路壁１ｂに寄って配置されている。ここで、上記かご用ガイドレール３ａ及び３ｂ、並びに、釣合い重り用ガイドレール４ａ及び４ｂ（以下、「ガイドレール３ａ等」という）には、昇降路ピット１内に下り立った保守作業員が保守作業をし易い所定の高さに、取付腕５を介して種々の電気機器６が固定されている。なお、特許請求の範囲に記載の昇降路内の固定部とは、上記昇降路壁１ａ乃至１ｄや、かご用ガイドレール３ａ及び３ｂ、釣合い重り用ガイドレール４ａ及び４ｂ等により構成される。
【００１０】
また、図中、７は一方のかご用ガイドレール３ａに取り付けられたレール側固定金８に略水平に設けられ、かご用ガイドレール３ａよりも外側（昇降路壁１ｂ側）となる昇降路の一側に配置されたレール側配線受け金具（第１のレール側配線受け金具）、９は他方のかご用ガイドレール３ｂに取り付けられたレール側固定金１０に略水平に設けられ、かご用ガイドレール３ｂよりも外側（昇降路壁１ｃ側）となる昇降路の他側に配置されたレール側配線受け金具（第２のレール側配線受け金具）、１１は一方の釣合い重り用ガイドレール４ａに取り付けられたレール側固定金１２ａと他方の釣合い重り用ガイドレール４ｂに取り付けられたレール側固定金１２ｂとに渡って略水平に設けられ、釣合い重り用ガイドレール４ａ及び４ｂよりも奥側（昇降路壁１ｄ側）となる昇降路の奥側に配置されたレール側配線受け金具（第３のレール側配線受け金具）を示している。なお、特許請求の範囲に記載の固定体は、上記レール側固定金８、１０、１２ａ及び１２ｂにより、また、配線受け具は、レール側配線受け金具７、９及び１１により構成される。
【００１１】
ここで、上記レール側配線受け金具７及び９は、縦断面が略コ字状を呈する棒状部材からなり、コ字状部の開放端が上方を向くように配置されている。そして、一端部が昇降路壁１ａ側、また、他端部が昇降路壁１ａに対向する奥側の昇降路壁１ｄ側となるように、その長手方向が昇降路の奥行方向に配置されている。一方、上記レール側配線受け金具１１は、縦断面が略コ字状を呈する棒状部材からなり、コ字状部の開放端が上方を向くように配置されている。そして、一端部が昇降路壁１ｂ側のレール側配線受け金具７の他端部近傍、また、他端部が昇降路壁１ｃ側のレール側配線受け金具９の他端部近傍となるように、その長手方向が昇降路の間口方向に配置されている。なお、レール側配線受け金具７、９及び１１は、電気機器６より所定距離低くなるようにほぼ同じ高さに配置され、全体として平面視略コ字状を呈している。
【００１２】
そして、各種電気機器６に接続された電線１３は、各電気機器６から垂下されて、各電気機器６の下方に位置するレール側配線受け金具７、９及び１１に達し、その先は、レール側配線受け金具７、９及び１１のコ字状部内に収納されて配線されている。
【００１３】
また、１４は乗場装置２の上部に設けられ、乗場ドア１５の開閉動作を制御する電気機器である。そして、この電気機器１４に接続された電線１６も、電気機器１４から昇降路壁１ａに沿って垂下されて、最も近接するレール側配線受け金具９に達し、その先は、レール側配線受け金具９のコ字状部内に収納されて配線されている。
【００１４】
図２は図１に示すエレベータ昇降路用配線装置の詳細図であり、レール側配線受け金具７の取付状態を示したものである。図２において、レール側固定金８は略Ｌ字状を呈しており、その下端部がかご用ガイドレール３ａの背面から昇降路壁１ｂ側に水平に突出するように、レールクリップ１７等を介してかご用ガイドレール３ａに固定されている。また、レール側配線受け金具７は、レール側固定金８の下端部上面に載置され、図示しないボルト等によってレール側固定金８に固定されている。
【００１５】
この発明の実施の形態１によれば、レール側配線受け金具７、９及び１１によって、エレベータ用の電気機器６及び１４に接続された電線１３及び１６の配線経路を、昇降路の形状に関らず一定に構成することが可能となる。即ち、ガイドレール３ａ等の配置はエレベータ装置の機種毎に一定であるため、かご用ガイドレール３ａ及び３ｂ間距離や、釣合い重り用ガイドレール４ａ及び４ｂ間距離、電気機器６及び１４の設置位置、レール側配線受け金具７、９及び１１の設置位置、電線１３及び１６を接続する制御盤（図示せず）の設置位置等に基づいて、電線１３及び１６に必要な長さを予め算出することができる。したがって、電線１３、１６を必要な長さのみ手配することが可能となり、電線１３及び１６の余長の整理や結束等の作業が不要となって据付作業性を向上させることができる。
【００１６】
また、レール側配線受け金具７、９及び１１が、全体として平面視略コ字状を呈するように配置されているため、乗場装置２が設けられた昇降路壁１ａ側から両側の昇降路壁１ｂ及び１ｃ、奥側の昇降路壁１ｄ側に渡って一定の配線経路を構成することができる。したがって、昇降路ピット部１全体に電気機器６及び１４が配置された場合でも、レール側配線受け金具７、９及び１１のコ字状部内に全ての電線１３及び１６を収納して配線することも可能である。
【００１７】
実施の形態２．
図３はこの発明の実施の形態２におけるエレベータの乗場装置の斜視図、図４は図３に示すエレベータ昇降路用配線装置の詳細図である。図３及び図４において、１８は乗場出入口上方の昇降路壁１ａに設けられた桁、１４ａは桁１８の上部に設けられ、乗場ドア１５の開閉動作を制御する電気機器、１９は乗場出入口の下縁部に沿って設けられ、乗場ドア１５の下端部を案内する乗場の敷居、２０は乗場の敷居１９に上縁部が設けられ、この乗場の敷居１９から下方に垂設されて、その下縁部が乗場側に曲成された爪先保護板、２１は爪先保護板２０の乗場側側面（裏面）に、この爪先保護板２０の幅方向（昇降路の間口方向）に渡って水平に設けられた乗場側配線受け金具（配線受け具）、１４ｂは爪先保護板２０に隣接するように昇降路壁１ａに設けられた電気機器、２２は電気機器１４ａ及び１４ｂ間を接続する電線である。
【００１８】
ここで、上記乗場側配線受け金具２１は、縦断面が略コ字状を呈する棒状部材からなり、コ字状部の開放端が上方を向くように配置されている。そして、その一側部が爪先保護板２０の裏面に接触するように、ボルト２３によって爪先保護板２０に固定されている。なお、乗場側配線受け金具２１は、電気機器６より所定距離低くなるようにレール側配線受け金具７、９及び１１と略同高さに配置され、レール側配線受け金具７、９及び１１とによって平面視略四角環状を呈するように配置されている。
【００１９】
そして、電気機器１４ａに接続された電線２２は、電気機器１４ａから昇降路壁１ａに沿って垂下されて、乗場側配線受け金具２１の一側に達し、その先は、乗場側配線受け金具２１のコ字状部内に収納されて配線されている。また、乗場２２の乗場側配線受け金具２１の他側から先は、昇降路壁１ａに沿って配線されて電気機器１４ｂに接続されている。
【００２０】
この発明の実施の形態２によれば、乗場側配線受け金具２１とレール側配線受け金具７、９及び１１とによって、エレベータ用の電気機器６及び１４に接続された電線１３及び１６の配線経路を、昇降路の形状に関らず一定に構成することが可能となる。また、昇降路１ａ側にも乗場装置２の間口方向に渡って乗場側配線受け金具２１が設けられているため、乗場装置２の左右に渡って電線２２を配置する場合でも、電線２２の余長を無くすことができる。さらに、従来昇降路壁１ａに設置していたアンカーボルトも不要となる。なお、乗場側配線受け金具２１とレール側配線受け金具７、９及び１１とが、全体として平面視略四角環状を呈するように配置されているため、昇降路ピット部１周囲に渡って一定の配線経路を構成することができる。なお、その他は、実施の形態１と同様の構成及び効果を奏する。
【００２１】
実施の形態３．
図５はこの発明の実施の形態３におけるエレベータ装置の斜視図である。図５において、２４は昇降路壁１ｂに取り付けられた２つの壁側固定金２５に渡って略水平に設けられ、昇降路の一側に配置された壁側配線受け金具、２６は昇降路壁１ｃに取り付けられた２つの壁側固定金２７に渡って略水平に設けられ、昇降路の他側に配置された壁側配線受け金具、２８は昇降路壁１ｄに取り付けられた２つの壁側固定金２９に渡って略水平に設けられ、昇降路の奥側に配置された壁側配線受け金具である。なお、特許請求の範囲における固定体は、上記壁側固定金２５、２７及び２９により、また、配線受け具は、壁側配線受け金具２４、２６及び２８により構成される。
【００２２】
ここで、上記壁側配線受け金具２４及び２６は、縦断面が略コ字状を呈する棒状部材からなり、コ字状部の開放端が上方を向くように配置されている。そして、一端部が昇降路壁１ａ側、また、他端部が昇降路壁１ｄ側となるように、その長手方向が昇降路の奥行方向に配置されている。一方、上記壁側配線受け金具２８は、縦断面が略コ字状を呈する棒状部材からなり、コ字状部の開放端が上方を向くように配置されている。そして、一端部が昇降路壁１ｂ側の壁側配線受け金具２４の他端部近傍、また、他端部が昇降路壁１ｃ側の壁側配線受け金具２６の他端部近傍となるように、その長手方向が昇降路の間口方向に配置されている。なお、壁側配線受け金具２４、２６及び２８は、昇降路壁１ｂ、１ｃ及び１ｄから所定距離離れた位置に、ほぼ同じ高さに配置され、全体として平面視略コ字状を呈している。
【００２３】
そして、ガイドレール３ａ等に設けられた各電気機器６に接続された電線１３は、各電気機器６から垂下されて、各電気機器６の下方に位置する壁側配線受け金具２４、２６及び２８に達し、その先は、壁側配線受け金具２４、２６及び２８のコ字状部内に収納されて配線されている。
【００２４】
また、図６は図５に示すエレベータ昇降路用配線装置の詳細図であり、壁側配線受け金具２４の取付状態を示したものである。図６において、昇降路壁１ｂに突設された壁側固定金２５は、上端部が昇降路壁１ｂから水平に突出するように、その下端部が昇降路壁１ｂのアンカーボルト３０に固定された略Ｌ字状を呈する固定部２５ａと、一端部が固定部２５ａの上端部上面にボルト３１及び座金３２を介して固定され、他端部が昇降路内部側に突出するスライド部２５ｂとから構成される。ここで、スライド部２５ｂの一端部には、長穴（図示せず）が形成されており、ボルト３１によるスライド部２５ｂの固定位置を変更することにより、壁側固定金２５の昇降路内側への突出量が調整自在に構成されている。なお、壁側固定金２７及び２９も、壁側固定金２５と同様の構成を有している。
【００２５】
この発明の実施の形態３によれば、壁側配線受け金具２４、２６及び２８によって、エレベータ用の電気機器６及び１４に接続された電線１３及び１６の配線経路を、昇降路の形状に関らず一定に構成することが可能となる。即ち、壁側配線受け金具２４、２６及び２８は、壁側固定金２５、２７及び２９の各スライド部を調整することにより、その設置位置を自由に設定することが可能であるため、壁側配線受け金具２４、２６及び２８がガイドレール３ａ等の設置位置よりも所定距離外側に配置されるようにその取付位置を調整することにより、実施の形態１と同様の効果を奏することが可能となる。また、壁側配線受け金具２４、２６及び２８の設置に際しては、ガイドレール３ａ等が不要であるため、ガイドレール３ａ等の設置前でも電線１３の配線が可能となり、据付の作業性効率を向上させることもできる。なお、その他は、実施の形態１又は２と同様の構成及び効果を有している。
【図面の簡単な説明】
【００２６】
【図１】この発明の実施の形態１におけるエレベータ装置の斜視図である。
【図２】図１に示すエレベータ昇降路用配線装置の詳細図である。
【図３】この発明の実施の形態２におけるエレベータの乗場装置の斜視図である。
【図４】図３に示すエレベータ昇降路用配線装置の詳細図である。
【図５】この発明の実施の形態３におけるエレベータ装置の斜視図である。
【図６】図５に示すエレベータ昇降路用配線装置の詳細図である。
【符号の説明】
【００２７】
１  昇降路ピット部
１ａ、１ｂ、１ｃ、１ｄ  昇降路壁
２  乗場装置
３ａ、３ｂ  かご用ガイドレール
４ａ、４ｂ  釣合い重り用ガイドレール
５  取付腕
６、１４、１４ａ、１４ｂ  電気機器
７、９、１１  レール側配線受け金具
８、１０、１２ａ、１２ｂ  レール側固定金
１３、１６、２２  電線
１５  乗場ドア
１７  レールクリップ
１８  桁
１９  乗場の敷居
２０  爪先保護板
２１  乗場側配線受け金具
２３  ボルト
２４、２６、２８  壁側配線受け金具
２５、２７、２９  壁側固定金
２５ａ  固定部
２５ｂ  スライド部
３０  アンカーボルト
３１  ボルト
３２  座金
【図１】
2007119119.tif 000003
【図２】
2007119119.tif 000004
【図３】
2007119119.tif 000005
【図４】
2007119119.tif 000006
【図５】
2007119119.tif 000007
【図６】
2007119119.tif 000008